(57)【要約】【課題】蛍光ランプを容易に増設することができ、かつ、器具全体をリモコン制御可能な照明器具を提供する。【解決手段】本体２０には点灯回路２５およびリモコン制御装置２６が内蔵されているので、本体２０の側面２０３に設けられているランプ保持手段２２により保持される蛍光ランプ２１は、リモコン制御により点灯可能である。また、本体２０の一面２０２には係止部２４を設け、本体２０の他面２０４には係止部２４が係止可能な被係止部２８を設けたので、複数個の本体２０を積層状態で増設することができる。さらに、本体２０の一面２０２には電力の供給を受ける受電端子部２３を設け、本体２０の他面２０４には受電端子部２３に接続可能で電力を供給する給電端子部２７を設けたので、増設された本体２０に電力を供給して点灯することができる。【選択図】図２
2010140868.tif 000002
【特許請求の範囲】
【請求項１】
蛍光ランプと、
前記蛍光ランプを点灯させる点灯回路と、
前記点灯回路の出力を制御可能なリモコン制御装置と、
前記点灯回路および前記リモコン制御装置を内蔵するとともに、側面に設けられて前記蛍光ランプを保持するランプ保持手段を有する本体と、を有し、
前記本体の一面には、電力の供給を受ける受電端子部および前記本体を支持する係止部を設け、
前記本体の他面には、前記受電端子部が接続可能で電力を供給する給電端子部および別の前記本体の前記係止部が係止可能な被係止部を設けたことを特徴とする照明器具。
【請求項２】
前記係止部および前記被係止部の一方に、前記リモコン制御装置からの制御信号を送信可能な制御信号送信端子部を設け、他方に、前記制御信号送信端子部からの制御信号を受ける制御信号受信端子部を設けたことを特徴とする請求項１記載の照明器具。
【請求項３】
前記本体の被取付面に対向する面に、前記蛍光ランプの光を反射する反射部を設けたことを特徴とする請求項１または２記載の照明器具。
【請求項４】
前記蛍光ランプの光を反射する反射板を、前記被取付面に設けたことを特徴とする請求項１ないし請求項３のいずれかに記載の照明器具。
【発明の詳細な説明】
【技術分野】
【０００１】
本発明は、蛍光ランプを増設できる照明器具に関するものである。
【背景技術】
【０００２】
図１２に示すように、特許文献１に記載の照明器具１００は、環形の蛍光ランプ１０１の中央に、蛍光ランプ１０１を点灯させるための点灯回路１０２を内蔵する本体部１０３を有している。本体部１０３の側面には、蛍光ランプ１０１を保持するランプ保持手段１０４が径方向に設けられており、本体部１０３の天井に面する一面１０８には、雄型接続端を有する口金１０５が設けられている。また、本体部１０の一面１０８に対する裏面１０９には、雌型接続端１０６を有する受け金１０７が設けられている。
【０００３】
従って、複数個の照明器具１００の各本体部１０３が上下に重なるようにして口金１０５を受け金１０７の雌型接続端１０６に挿入し、その挿入方向に対して照明器具１００を相対的に所定角度回転させることにより、受け金１０７と口金１０５とが固定され、複数個の照明器具１００が一体的に接続される。
【特許文献１】特開２００８−１７１７２２号公報（第１図）
【発明の開示】
【発明が解決しようとする課題】
【０００４】
しかしながら、従来の照明器具１００においては、リモコン制御ができないので不便であるという問題があった。
【０００５】
本発明は、従来の問題を解決するためになされたもので、蛍光ランプを容易に増設することができ、かつ、器具全体をリモコン制御可能な照明器具を提供することを目的とする。
【課題を解決するための手段】
【０００６】
本発明の照明器具は、蛍光ランプと、前記蛍光ランプを点灯させる点灯回路と、前記点灯回路の出力を制御可能なリモコン制御装置と、前記点灯回路および前記リモコン制御装置を内蔵するとともに、側面に設けられて前記蛍光ランプを保持するランプ保持手段と、を有する本体と、を有し、前記本体の一面には、電力の供給を受ける受電端子部および前記本体を支持する係止部を設け、前記本体の他面には、前記受電端子部が接続可能で電力を供給する給電端子部および別の前記本体の前記係止部が係止可能な被係止部を設けた構成を有している。
【０００７】
この構成により、本体には点灯回路およびリモコン制御装置が内蔵されているので、本体の側面に設けられているランプ保持手段により保持される蛍光ランプは、リモコン制御により点灯可能である。また、本体の一面には係止部を設け、本体の他面には係止部が係止可能な被係止部を設けたので、複数個の本体を積層状態で増設することができる。さらに、本体の一面には電力の供給を受ける受電端子部を設け、本体の他面には受電端子部に接続可能で電力を供給する給電端子部を設けたので、増設された本体に電力を供給して点灯することができる。
【０００８】
また、本発明の照明器具は、前記係止部および前記被係止部の一方に、前記リモコン制御装置からの制御信号を送信可能な制御信号送信端子部を設け、他方に、前記制御信号送信端子部からの制御信号を受ける制御信号受信端子部を設けた構成を有している。
【０００９】
この構成により、係止部と被係止部とを連結することにより、リモコン制御信号の送受信が可能となるので、増設された本体の蛍光ランプの点灯を、リモコン制御することができる。
【００１０】
また、本発明の照明器具は、前記本体の被取付面に対向する面に、前記蛍光ランプの光を反射する反射部を設けた構成を有している。
【００１１】
この構成により、本体の被取付面に対向する面に反射部を設けたので、外径が小さな蛍光ランプが取付けられた本体の下に、外径が大きな蛍光ランプが取付けられた本体を増設した際に、外径が小さな蛍光ランプからの光を増設された本体が被取付面方向へ反射して、被取付面からの間接光を得ることができる。
【００１２】
さらに、本発明の照明器具は、前記蛍光ランプの光を反射する反射板を、前記被取付面に設けた構成を有している。
【００１３】
この構成により、被取付面に反射板を取付けることにより、蛍光ランプからの光を反射して、間接光を効率よく得ることができる。
【発明の効果】
【００１４】
本発明は、本体には点灯回路およびリモコン制御装置が内蔵されているので、本体の側面に設けられているランプ保持手段により保持される蛍光ランプは、リモコン制御により点灯可能である。また、本体の一面には係止部を設け、本体の他面には係止部が係止可能な被係止部を設けたので、複数個の本体を積層状態で増設することができる。さらに、本体の一面には電力の供給を受ける受電端子部を設け、本体の他面には受電端子部に接続可能で電力を供給する給電端子部を設けたので、増設された本体に電力を供給して点灯することができるという効果を有する照明器具を提供することができるものである。
【発明を実施するための最良の形態】
【００１５】
以下、本発明の照明器具の実施例について、図面を用いて説明する。
（第１実施例）
図１は本発明にかかる照明器具の第１実施例の側面図、図２（Ａ）は本体の側面図、図２（Ｂ）は本体の中心における断面図、図３（Ａ）は本体の側面図、図３（Ｂ）は（Ａ）中Ｂ方向から見た上面図、図４（Ａ）は本体の側面図、図４（Ｂ）は（Ａ）中Ｂ方向から見た下面図、図５は照明器具における回路図である。
【００１６】
図１に示すように、本発明の第１実施例にかかる照明器具１０は、例えば被取付面としての天井１１に設けられている引掛シーリングボディ１２に取り付けられている本体２０Ａに、本体２０Ｂ，２０Ｃを増設して使用される。なお、以下において、積層した本体２０Ａ〜２０Ｃを区別しない場合には、本体２０と表示し、特に区別をする場合のみ本体２０Ａ〜２０Ｃと表記することとする。
【００１７】
図２〜図４に示すように、照明器具１０は、内部空間２０１を有する円盤状の本体２０を有する。本体２０は、内部空間２０１を有する例えば円盤状を呈しており、天井１１に対向する本体２０の一面としての取付面２０２には、電力の供給を受ける一対の雄型接続端子２３１を有する受電端子部２３が設けられている。一対の受電端子部２３、２３は、本体２０の中心に対して点対称の位置に設けられている。
【００１８】
従って、天井１１の引掛シーリングボディ１２に設けられている受け金（図示省略）の雌型接続端子に、本体２０の雄型接続端子２３１を挿入して係止することにより、本体２０は天井１１に係止されるとともに、商用電源に接続されて電力の供給を受ける。
【００１９】
また、取付面２０２における受電端子部２３の外側には、本体２０を支持する一対の係止部２４、２４が、本体２０の中心に対して点対称の位置に設けられている。係止部２４は、取付面２０２に立設された支柱２４１と、支柱２４１の上端から本体２０の中心に向かって水平に突出する係止片２４２とから、全体逆Ｌ字状に形成されている。
【００２０】
一対の対向する係止片２４２の先端間の間隔は、引掛シーリングボディ１２の外径よりも大きくなっており、取付けの際に干渉しないようになっている。また、一対の係止部２４、２４の外側寸法は、取付けられる蛍光ランプ２１の内径よりも小さく設定されており、蛍光ランプ２１の取付けを容易にしている。
【００２１】
各係止片２４２には、制御信号受信端子部であるリモコン信号受信端子２４３が設けられており（図３（Ａ）参照）、リモコン信号受信端子２４３はリモコン制御装置２６に接続されている（図５参照）。
なお、取付面２０２には、例えば白色に塗装して、蛍光ランプ２１の光を反射する反射部を形成するのが望ましい。
【００２２】
本体２０の側面２０３（図２（Ｂ）参照）にはランプ保持手段２２が設けられており、ランプ保持手段２２には光源である環状の蛍光ランプ２１が取り付けられる。ランプ保持手段２２としては、蛍光ランプ２１の発光管２１１を保持する複数（例えば２個）のランプ支持バネ２２１および蛍光ランプ２１のランプソケット２１２に設けられている給電ピン（図示省略）が嵌合されて保持すると同時に電気的に接続するキャッチソケット２２２を用いることができる。キャッチソケット２２２は後述する点灯回路２５に接続されている（図５参照）。
【００２３】
本体２０の内部空間２０１には、蛍光ランプ２１を点灯させる点灯回路２５と、点灯回路２５の出力を制御可能なリモコン制御装置２６が内蔵されている。
点灯回路２５は受電端子部２３に接続されており、蛍光ランプ２１点灯用の電力の供給を受ける（図５参照）。
【００２４】
引掛シーリングボディ１２に直接取付けられる本体２０Ａのリモコン制御装置２６は、外部からのリモコン信号を受信するリモコン信号受信部（図示省略）に接続されている。また、全ての本体２０のリモコン制御装置２６は、係止部２４のリモコン信号受信端子２４３に接続されている（図５参照）。リモコン制御装置２６は、リモコン信号に基づいて点灯回路２５を制御して、蛍光ランプ２１の出力を制御する。なお、リモコン信号受信部は、蛍光ランプ２１のランプソケット２１２から遠ざけた位置に設けて、ランプソケット２１２からの赤外線の影響を受けないようにするのが望ましい。
【００２５】
図４（Ｂ）に示すように、本体２０（２０Ａ）の他面である下面２０４には、一対の給電端子部２７および一対の被係止部２８が設けられている。一対の給電端子部２７および一対の被係止部２８は、本体２０の中心に対して点対称の位置および形状に設けられている。
【００２６】
給電端子部２７は、本体２０の径方向に形成された第１の切欠き２７１と、この第１の切欠き２７１から連続して周方向へ延びる第２の切欠き２７２を有し、別の本体２０（２０Ｂ）の受電端子部２３が接続可能となっている。第２の切欠き２７２には、受電端子部２３の雄型接続端子２３１に接続される給電端子２７３が設けられており（図５参照）、別の本体２０（２０Ｂ）の雄型接続端子２３１と接触することにより、電力を別の本体２０（２０Ｂ）に供給可能となっている。
【００２７】
被係止部２８は別の本体２０（２０Ｂ）の係止部２４が係止可能となっている。被係止部２８は、大きく開口した挿入口２８１と、挿入口２８１に連続して周方向に設けられている係止口２８２を有する。挿入口２８１は、係止部２４の係止片２４２が通過可能な大きさを有する。係止口２８２は、係止部２４の支柱２４１は通過可能だが係止片２４２は通過できない大きさを有する。係止口２８２には制御信号送信端子部であるリモコン信号送信端子２８３が設けられている。リモコン信号送信端子２８３は、リモコン制御装置２６に接続されている（図５参照）。
【００２８】
次に、本体２０を増設する動作について説明する。
図１に示すように、まず、第１の本体２０Ａの受電端子部２３を、天井１１に取付けられた引掛シーリングボディ１２に挿入し、本体２０Ａを回転して装着・固定して、電気的に接続する。
次いで、第２の本体２０Ｂの受電端子部２３を第１の本体２０Ａの給電端子部２７の第１の切欠き２７１に挿入する。このとき、同時に第１の本体２０の係止部２４が、第２の本体２０Ｂの被係止部２８の挿入口２８１に挿入される。
第２の本体２０を第１の本体に対して回転させ、受電端子部２３を給電端子部２７の第２の切欠き２７２に移動させて給電端子２７３と接触させて接続する。同時に、係止部２４を被係止部２８９の係止口２８２に移動させ、リモコン信号受信端子２４３とリモコン信号送信端子２８３を接触させて接続し、第２の本体２０Ｂを第１の本体２０Ａの下面２０４に固定する。
さらに、第３の本体２０Ｃを増設する際には、同様にして、第３の本体２０Ｃを第２の本体２０Ｂの下面に固定し、接続する。
【００２９】
以上、説明した本発明の第１実施例にかかる照明器具１０によれば、本体２０には点灯回路２５およびリモコン制御装置２６が内蔵されているので、本体２０の側面に設けられているランプ保持手段２２により保持される蛍光ランプ２１は、リモコン制御により点灯可能である。
また、本体２０の取付面２０２に係止部２４を設け、本体２０の下面２０４に係止部２４が係止可能な被係止部２８を設けたので、複数個の本体２０を積層状態で増設することができる。
さらに、本体２０の取付面には電力の供給を受ける受電端子部２３を設け、本体２０の下面には受電端子部２３に接続可能で電力を供給する給電端子部２７を設けたので、増設された本体２０Ｂ，２０Ｃに電力を供給して点灯することができる。
【００３０】
また、係止部２４と被係止部２８とを連結することにより、リモコン制御信号の送受信が可能となるので、増設された本体２０Ｂ，２０Ｃの蛍光ランプ２１の点灯を、リモコン制御することができる。
【００３１】
また、本体２０の取付面２０２に反射部を設けたので、外径が小さな蛍光ランプ２１が取付けられた本体２０の下に、外径が大きな蛍光ランプ２１が取付けられた本体２０を増設した際に、外径が小さな蛍光ランプ２１からの光を増設された本体２０が天井１１側へ反射して、天井１１からの間接光を得ることができる。
【００３２】
なお、蛍光ランプ２１の光を反射する反射板を、天井１１に設けるのが望ましい。これにより、蛍光ランプ２１からの光を反射して、間接光を効率よく得ることができる。
【００３３】
（第２実施例）
次に、本発明の第２実施例について説明する。
図６は本発明にかかる照明器具の第２実施例の回路図である。なお、前述した第１実施例にかかる照明器具と共通する部位には同じ符号を付して、重複する説明を省略することとする。
【００３４】
図６に示すように、本発明の第２実施例にかかる照明器具１０Ｂは、リモコン信号受信部（図示省略）を各本体２０Ａ〜２０Ｃの取付面２０２の外周縁近傍に設けるとともに、係止部２４のリモコン信号受信端子２４３（図３（Ａ）参照）および被係止部２８のリモコン信号送信端子２８３（図４（Ｂ）参照）を、リモコン制御装置２６から切り離した。あるいは、リモコン信号受信端子２４３およびリモコン信号送信端子２８３を設けないようにした。
このため、各本体２０Ａ〜２０Ｃは、各々リモコン信号受信部が個別にリモコン信号を受信することになる。
【００３５】
以上、説明した本発明の第２実施例にかかる照明器具１０Ｂによれば、各本体２０Ａ〜２０Ｃの蛍光ランプ２１のワット数が異なる場合に、各本体２０Ａ〜２０Ｃのごとにリモコン操作できるので、蛍光ランプ２１ごとの出力制御が容易になる。
【００３６】
（第３実施例）
次に、本発明の第３実施例について説明する。
図７は複数の本体を積層した照明器具の側面図である。なお、前述した第１実施例および第２実施例にかかる照明器具と共通する部位には同じ符号を付して、重複する説明を省略することとする。
【００３７】
図７に示すように、本発明の第３実施例にかかる照明器具１０Ｃでは、ランプ外径が小さい蛍光ランプ２１Ａを装着した本体２０Ａの下に、ランプ外径が大きな蛍光ランプ２１Ｂを装着した本体２０Ｂを増設した。また、本体２０Ｂの取付面２０２を例えば白色に塗装して反射部を設けた。
【００３８】
以上、説明した本発明の第３実施例にかかる照明器具１０Ｃによれば、本体２０Ｂの取付面２０２に反射部を設けることにより、外径が小さな蛍光ランプ２１Ａからの光を天井１１側へ反射して、天井１１からの間接光を得ることができる。
【００３９】
（第４実施例）
次に、本発明の第４実施例について説明する。
図８は本発明の第４実施例であり全体を覆うセードを設けた照明器具の断面図、図９は各蛍光ランプを覆うセードを設けた照明器具の断面図である。なお、前述した第１〜第３実施例にかかる照明器具と共通する部位には同じ符号を付して、重複する説明を省略することとする。
【００４０】
図８および図９に示すように、本発明の第４実施例にかかる照明器具１０Ｄ，１０Ｅでは、蛍光ランプを覆うセード３１、３２を設けた。
【００４１】
図８に示す照明器具１０Ｄでは、積層された本体２０Ａ〜２０Ｃに装着された蛍光ランプ２１Ａ〜２１Ｃを一括して覆うセード３１が設けられている。セード３１は、例えば、最下段の本体２０Ｃに取付けられた支持部材３１１により取付けることができる。あるいは、ランプ支持バネ２２１（図２（Ｂ）参照）のような支持部材（図示省略）により、最上段の本体２０Ａに装着された蛍光ランプ２１Ａに取付けることができる。
【００４２】
また、図９に示す照明器具１０Ｅでは、積層された本体２０Ａ〜２０Ｃに装着された蛍光ランプ２１Ａ〜２１Ｃを個別に覆うセード３２Ａ、３２Ｂ、３２Ｃが設けられている。各セード３２Ａ、３２Ｂ、３２Ｃは、例えばランプ支持バネ２２１（図２（Ｂ）参照）のような支持部材（図示省略）により、個別に蛍光ランプ２１Ａ〜２１Ｃに取付けることができる。各セード３２Ａ、３２Ｂ、３２Ｃは、異なる色とすることができる。
【００４３】
以上、説明した本発明の第４実施例にかかる照明器具１０Ｄ、１０Ｅによれば、セード３１、３２により蛍光ランプ２１の光を拡散するので、眩しさを軽減することができる。
また、蛍光ランプ２１を覆うので、外部衝撃から蛍光ランプ２１を保護することができる。
さらに、セード３１、３２を着色することにより、種々の配光状態を形成することができる。
【００４４】
（第５実施例）
次に、本発明の第５実施例について説明する。
図１０および図１１は第５実施例にかかる照明器具の断面図である。なお、前述した第１〜第４実施例にかかる照明器具と共通する部位には同じ符号を付して、重複する説明を省略することとする。
【００４５】
図１０および図１１に示すように、本発明の第５実施例にかかる照明器具１０Ｆ、１０Ｇでは、積層された本体２０の側面２０３（図２（Ｂ）参照）を、下方外向きに傾斜させた傾斜面２０５とした。従って、蛍光ランプ２１からの光は、傾斜面２０５で反射して、下方に照射される。
なお、図１０では、上側に外径が大きな本体２０Ａを配置し、増設された本体２０Ｂ、２０Ｃの外径を次第に小さくした。
また、図１１では、下側に外径が大きな本体２０Ｃが配置される場合を示しており、傾斜面２０５で下方へ反射するとともに、本体２０Ｃの取付面（上面）２０２で天井側に反射する。
【００４６】
以上、説明した本発明の第５実施例にかかる照明器具１０Ｆ、１０Ｇによれば、傾斜面２０５が蛍光ランプ２１の光を下方へ反射するので、下方への光を多くして明るくすることができる。
【００４７】
なお、本発明の照明器具は、前述した各実施例に限定されるものでなく、適宜な変形，改良等が可能である。
例えば、本体２０に、引掛シーリング取外し解除ボタンを設けて、本体２０を連結して取付けている場合の取外し時に、全ての本体２０が外れるのを防止することもできる。
【図面の簡単な説明】
【００４８】
【図１】本発明の第１実施例にかかる照明器具の側面図
【図２】（Ａ）は本体の側面図、（Ｂ）は本体の中心における断面図
【図３】（Ａ）は本体の側面図、（Ｂ）は（Ａ）中Ｂ方向から見た上面図
【図４】（Ａ）は本体の側面図、（Ｂ）は（Ａ）中Ｂ方向から見た下面図
【図５】照明器具における回路図
【図６】照明器具の回路図
【図７】本発明の第３実施例にかかる照明器具の側面図
【図８】本発明の第４実施例であり全体を覆うセードを設けた照明器具の断面図
【図９】各蛍光ランプを覆うセードを設けた照明器具の断面図
【図１０】本発明の第５実施例にかかる照明器具の断面図
【図１１】本発明の第５実施例にかかる照明器具の変形例の断面図
【図１２】（Ａ）は従来の照明器具の側面図、（Ｂ）は（Ａ）中Ｂ方向から見た下面図
【符号の説明】
【００４９】
１０  照明器具
２０  本体
２０２  取付面（本体の一面）
２０３  側面
２０４  下面（本体の他面）
２１  蛍光ランプ
２２  ランプ保持手段
２３  受電端子部
２４  係止部
２４３  リモコン信号受信端子（制御信号受信端子部）
２５  点灯回路
２６  リモコン制御装置
２７  給電端子部
２８  被係止部
２８３  リモコン信号送信端子（制御信号送信端子部）
【図１】
2010140868.tif 000003
【図２】
2010140868.tif 000004
【図３】
2010140868.tif 000005
【図４】
2010140868.tif 000006
【図５】
2010140868.tif 000007
【図６】
2010140868.tif 000008
【図７】
2010140868.tif 000009
【図８】
2010140868.tif 000010
【図９】
2010140868.tif 000011
【図１０】
2010140868.tif 000012
【図１１】
2010140868.tif 000013
【図１２】
2010140868.tif 000014